(57)【要約】【課題】フードを常に噴霧器に附帯させることが可能であり、フードを附帯していても噴霧器として省スペースであり、かつフードの紛失を防止でき、フード所望時には確実にフードが使用可能であるフードを附帯する噴霧器を提供すること。【解決手段】噴霧器（２０）のノズルヘッド（２２）に外嵌組付きする取付部（４）と、該取付部（４）から先端開口部（３）に向かってラッパ状に拡径するフード部（５）と、を有するフード（１）を附帯する噴霧器であって、該フード（１）が容器体（２４）に組付いて一体化することを特徴とするフード附帯噴霧器。【選択図】図１
2015226868.tif 000002
【特許請求の範囲】
【請求項１】
噴霧器（２０）のノズルヘッド（２２）に外嵌組付きする取付部（４）と、
該取付部（４）から先端開口部（３）に向かってラッパ状に拡径するフード部（５）と、を有するフード（１）を附帯する噴霧器であって、
該フード（１）が容器体（２４）に組付いて一体化することを特徴とするフード附帯噴霧器。
【請求項２】
前記フード（１）が、前記容器体（２４）の肩部（２６）に組付いて一体化する請求項１に記載のフード附帯噴霧器。
【請求項３】
前記取付部（４）の外周面に係止突起（６）と係止溝（７）を配設し、該係止溝（７）に該係止突起（６）を嵌合係止させて、該取付部（４）が前記ノズルヘッド（２２）に外嵌組付く請求項１又は２に記載のフード附帯噴霧器。
【請求項４】
前記係止突起（６）と前記係止溝（７）の嵌合解除状態にて、前記フード（１）の開口部（８）を拡げて、前記肩部（２６）に前記フード（１）が組付く請求項１〜３のいずれかに記載のフード附帯噴霧器。
【請求項５】
噴霧器（２０）は押下げ式噴霧器（２９）であり、前記ノズルヘッド（２２）に対し外嵌組付きする取付部（４）がリング状部材（１１）で構成されている請求項１又は２に記載のフード附帯噴霧器。
【発明の詳細な説明】
【技術分野】
【０００１】
本発明は、噴霧器の噴射口に臨む位置に組付けられ内容液の噴霧領域を規整するフードを附帯する噴霧器に関するものである。
【背景技術】
【０００２】
噴霧器のノズルヘッドの外周に、基部にノズルヘッドの外周を嵌合する嵌合開口を形成し、先端に所定の大きさ、形状に形成した開口を設けてなる噴霧領域を規整する案内筒（フード）を、嵌合開口を以って噴霧器のノズルヘッドに着脱自在に取り付けることができるようにしたものが公知である（例えば、特許文献１参照）。
【先行技術文献】
【特許文献】
【０００３】
【特許文献１】特開２００４−３４００６号公報
【０００４】
この特許文献１の発明にあっては、噴霧領域を規整するフードが容器体に附帯しないため、販売時や運搬時にフードが余分なスペースを取ることがあり、より省スペースである噴霧器が求められた。また、フードが容器体に附帯しないことにより、フード不使用時に取り外したフードを紛失する虞や必要時にフードが手元にないことがあった。
【発明の概要】
【発明が解決しようとする課題】
【０００５】
本発明は、フードを常に噴霧器に附帯させることが可能であり、フードを附帯していても噴霧器として省スペースであり、かつフードの紛失を防止でき、フード所望時には確実にフードが使用可能であるフードを附帯する噴霧器を提供することを目的とする。
【課題を解決するための手段】
【０００６】
上記課題の解決手段として、本発明に係るフード附帯噴霧器は、
噴霧器のノズルヘッドに外嵌組付きする取付部と、
該取付部から先端開口部に向かってラッパ状に拡径するフード部と、
を有するフードを附帯する噴霧器であって、
該フードが容器体に組付いて一体化することを特徴とする。
【０００７】
この構成によって、噴霧器に対しフードの附帯が常に可能となり、フードの紛失を防止でき、フード所望時には確実にフードが使用可能であり、噴霧器と一体化しているため省スペースで、販売時や運搬時に邪魔にならず取扱いし易い。また、内容液を周囲に不要に飛散させることなく、目的箇所に正確に規整された状態にて噴霧することが可能である。
【０００８】
また、本発明に係る別のフード附帯噴霧器において、フードが、容器体の肩部に組付いて一体化している。
【０００９】
上記構造では、フードを無理なく好適に噴霧器に組付けることができ、フード不使用時においても噴霧に何ら支障ない箇所に組付けることができる。
【００１０】
また、本発明に係る別のフード附帯噴霧器において、取付部の外周面に係止突起と係止溝を配設し、係止溝に係止突起を嵌合係止させて取付部をノズルヘッドに外嵌組付する。
【００１１】
上記構造では、係止突起と係止溝の嵌合係止状態にて取付部が強固になるため、ノズルヘッドへの外嵌組付けが好適に達成できる。
【００１２】
また、本発明に係る別のフード附帯噴霧器において、係止突起と係止溝の嵌合解除状態にて、フードの開口部を拡げて肩部にフードを組付ける。
【００１３】
上記構造では、フードの開口部を拡げて容器体の肩部に組付けられるため、容器体から噴霧器ヘッド部材を取り外さなくても、容易に組付けることが可能となった。
【００１４】
また、本発明に係る別のフード附帯噴霧器において、噴霧器が押下げ式噴霧器であり、ノズルヘッドに対し外嵌組付きする取付部がリング状部材で構成されている。
【００１５】
上記構造では、リング状部材を介して吊り下げ可能となるため、フックにより商品棚に陳列することが可能である。また、リング状部材が、組付いている状態にて不用意にノズルヘッドが押下げられるのを防止することが出来る。
【発明の効果】
【００１６】
本発明の主たる構成においては、トリガー式噴霧器又は押下げ式噴霧器に対するフードの附帯が常に行え、フードの紛失を防止でき、フード所望時には確実にフードが使用可能である。また、噴霧器と一体化しているため省スペースで、販売時や運搬時に邪魔にならず取扱いし易い。更に、内容液を周囲に不要に飛散させることなく、目的箇所に正確に規整された状態にて噴霧可能である。
【００１７】
フードが容器体の肩部に組付いて一体化しているものにあっては、フードを無理なく好適に容器体に組付けることができ、フード不使用時においても噴霧に何ら支障ない箇所に組付けることが達成される。
【００１８】
取付部の外周面に係止突起と係止溝を配設し、係止溝に係止突起を嵌合係止させて取付部をノズルヘッドに外嵌組付するものにあっては、係止突起と係止溝の嵌合係止状態にて取付部が強固になるため、ノズルヘッドへの外嵌組付けが好適に達成できる。
【００１９】
係止突起と係止溝の嵌合解除状態にて、フードの開口部を拡げて、容器体の肩部にフードを組付ける構造にあっては、フードの開口部を拡げて容器体の肩部に組付けられるため、容器体から噴霧器ヘッド部を取り外さなくても、容易に組付けることが可能となった。
【００２０】
噴霧器が押下げ式噴霧器であり、ノズルヘッドに対し外嵌組付きする取付部がリング状部材で構成されているものにあっては、リング状部材を介して吊り下げ可能となるため、フックにより商品棚に陳列することが可能となる。また、リング状部材が、組付いている状態にて不用意にノズルヘッドが押下げられ、誤噴霧を防止することが出来る。
【図面の簡単な説明】
【００２１】
【図１】本発明に係るフードが肩部に組付くフード附帯噴霧器の第１実施例を示す斜視図である。
【図２】図１においてフードをノズルヘッドに装着した斜視図である。
【図３】フードの外観斜視図である。
【図４】フードの取付部の平断面図である。
【図５】本発明に係るフードが肩部に組付くフード附帯噴霧器の第２実施例を示す斜視図である。
【図６】図５においてフードをノズルヘッドに装着した斜視図である。
【図７】本発明に係るフードが底部に組付くフード附帯噴霧器の第３実施例を示す斜視図である。
【図８】図７においてフードをノズルヘッドに装着した縦断面図である。
【発明を実施するための形態】
【００２２】
以下、本発明にかかる実施の形態について図面を参照しつつ説明する。
【００２３】
図１は、本発明に係るフードが肩部に組付くフード附帯噴霧器の第１実施例を示す斜視図である。図２は、図１においてフードをノズルヘッドに装着した斜視図である。図３は、フードの外観斜視図である。図４は、フードの取付部の平断面図である。
【００２４】
図１及び図２に示すように、第１実施例においてフード１を組付けた噴霧器２０は、引き金状のトリガー２３を有するトリガー式噴霧器２１となっており、噴霧すべき内容液を収納した容器体２４の上端開口部に、組付キャップ２５により組付けられている。
【００２５】
フード１は、トリガー式噴霧器２１のノズル孔を開設したノズルヘッド２２に組み付けられる筒状構造をした取付部４と、この取付部４に連続して基端開口部２から、噴霧された内容液の噴出口となる先端開口部３に向かって、ラッパ状に拡径したテーパー筒構造のフード部５とを備えている。
【００２６】
取付部４は、ノズルヘッド２２に外嵌組付くため、ノズルヘッド２２の外周面と同じ形状及び同じ大きさの内周面を備られ、ノズルヘッド２２から脱着自在に嵌着することができる。
【００２７】
フード部５は、単に噴霧内容液が散布対象面以外の周囲に広く飛散するのを防止したい場合には、基端開口部２から先端開口部３に向かう拡径程度の開角角度が、噴霧内容液の噴射角と等しいか、僅かに大きくなった円錐台筒形状とするのが好ましい。
【００２８】
図３に示すように、取付部４の外周面には、係止突起６と係止溝７が配設されている。取付部４をノズルヘッド２２に外嵌組付くためには、図４の破線にてＣの字状で示される係止突起６と係止溝７の嵌合解除状態から、実線で示される嵌合係止状態に係止溝７に係止突起６を嵌合係止させてから組付けを行う。
【００２９】
フード１は、容器体２４に組付いて一体化することをすることが可能である。これによって、噴霧器に対するフードの附帯が常に可能となり、販売時や運搬時に邪魔にならず好ましい取扱いを得ることができる。容器体２４に組付く箇所としては、着脱性や起立安定性から肩部２６が好ましい。
【００３０】
フード１を容器体２４の肩部２６に組付ける際は、図３に示される係止突起６と係止溝７の嵌合解除状態にてフード１の開口部８を拡げて、肩部２６にフード１を組付ける。このように肩部２６に組付けるフード１は、開口部８を拡げられるように柔軟性を有する材料であることが好ましい。フード部５が肩部２６に組付いた時に、取付部４は組付キャップ２５に組付くため、フード不使用時においても噴霧に何ら支障ない。そして、肩部２６への組付けが、開口部８を拡げて肩部２６に組付けられるため、容器体２４からトリガー式の噴霧器ヘッド部材を取り外さなくても、容易に組付けることが可能である。容器体２４の肩部２６と胴部２７の境界部には段部が設けられ、肩部２６にフード１が組付いた時には段差なくなるように面一となる。ノズルヘッド２２へフード１を取付ける際は、肩部２６及び組付キャップ２５へ組付いているフード部５及び取付部４の開口部８を拡げて、フード１を容器体２４から取り外してから、上述した嵌合係止状態に係止溝７に係止突起６を嵌合係止させてから外嵌組付けを行えばよい。
【００３１】
図５及び図６は、本発明の第２実施例を示している。
【００３２】
本第２実施例では、噴霧器２０が押下げ式噴霧器２９であり、図５に示されるようにフード１が、容器体２４の肩部２６に組付いて一体化している。フード使用時は、図６に示されるように、ノズルを開設したノズルヘッド２２に対し着脱自在に外嵌組付きする取付部４を嵌着して用いる。取付部４は、押下げ式のノズルヘッド２２に外嵌するリング状部材１１で構成されている。フード１が容器体２４の肩部２６に組付いている状態にて、リング状部材１１を介して吊り下げ可能となるため、フックにより商品棚に陳列することができる。リング状部材１１を介して吊り下げる時は、フード１と肩部２６を螺合や係合により嵌合させれば、容器体２４が抜け落ちることがない。また、リング状部材１１は、組付いている状態にてノズルヘッド２２の直上に位置するため、不用意にノズルヘッド２２が押下げられ、誤噴霧を防止することが出来る。フード部５には、大・小の窪み１２が設けられている。図５の様に、ノズル孔を開設したノズルヘッド２２の前方に小さな窪み１２がある時は、後方に指先でノズルヘッド２２を押下げられる大きな窪み（不図示）が形成さており、肩部２６に組付いた状態であっても噴霧可能である。
【００３３】
図７及び図８は、本発明の第３実施例を示している。
【００３４】
フード１は、容器体２４の底部２８に組付いても構わない。底部２８に組付く際は、ラッパ状に拡径しているフード部５の内周面の形状と合致するよう、図７に示されるよう底部２８が下方に向かって縮径している。底部２８にフード１が組付いた状態で、容器体２４が自立するような構造にフード１の底部９はなっている。フード１の底部９には、取付部４の左右にトリガー２３が当接しないように切欠き部１０が設けられている。図８は、第３実施例で用いられるフード１をノズルヘッド２２に装着した縦断面図である。また、フード１が容器体２４の底部２８に組付くため、フード不使用時においても噴霧に何ら支障はない。
【００３５】
以上、実施例に沿って本発明の構成とその作用効果について説明したが、本発明の実施の形態は上記実施例に限定されるものではない。
【００３６】
上記実施の形態では、フード１の形状を円錐台筒形状としたが、噴霧内容液の散布規制形態に応じて、その先端開口部３の開口形状を、楕円形、正方形、長方形等の所望する形状とすることができる。
【産業上の利用可能性】
【００３７】
以上説明したように、フードが容器体に組付いて一体化するためフードを常に噴霧器に附帯させることが可能であり、またフードだけで余分なスペースを取ることもなく省スペースであり、かつフードの紛失を防止でき、フード所望時には確実にフードが使用可能であり、所定の範囲に限定して内容液を散布するフード附帯噴霧器を提供できる。
【符号の説明】
【００３８】
１    ；フード
２    ；基端開口部
３    ；先端開口部
４    ；取付部
５    ；フード部
６    ；係止突起
７    ；係止溝
８    ；（フード部）開口部
９    ；（フード）底部
１０  ；切欠き部
１１  ；リング状部材（取付部）
１２  ；窪み
２０  ；噴霧器
２１  ；トリガー式噴霧器
２２  ；ノズルヘッド
２３  ；トリガー
２４  ；容器体
２５  ；組付キャップ
２６  ；肩部
２７  ；胴部
２８  ；（容器体）底部
２９  ；押下げ式噴霧器
【図１】
2015226868.tif 000003
【図２】
2015226868.tif 000004
【図３】
2015226868.tif 000005
【図４】
2015226868.tif 000006
【図５】
2015226868.tif 000007
【図６】
2015226868.tif 000008
【図７】
2015226868.tif 000009
【図８】
2015226868.tif 000010